(57)【要約】【課題】低コスト化および小型化が図れるプロジェクタを提供する。【解決手段】プロジェクタを構成する偏光変換装置５は、入射光束を２種類の直線偏光光束に分離する複数の偏光分離膜５１１、各偏光分離膜５１１にて反射された一方の直線偏光光束を反射する複数の反射膜５１２、および偏光分離膜５１１と反射膜５１２とを、光軸に対して傾斜し互いに平行な状態で交互に並列配置させる複数の板ガラス５１３を有する偏光変換素子５１と、２種類の直線偏光光束のうちいずれか一方の直線偏光光束の偏光方向を変換する複数の位相差板５２とを備える。偏光変換装置５は、各偏光分離膜５１１および各反射膜５１２の並列方向Ｐが光変調装置の画像形成領域の短辺方向に平行な状態で配設されている。【選択図】図２
2009098569.tif 000002
【特許請求の範囲】
【請求項１】
光源装置と、前記光源装置から射出された光束を略１種類の直線偏光光束に変換する偏光変換装置と、前記偏光変換装置から射出された直線偏光光束を画像情報に応じて変調して画像光を形成する光変調装置と、前記画像光を拡大投射する投射光学装置とを備えたプロジェクタであって、
前記偏光変換装置は、
入射光束を透過および反射して２種類の直線偏光光束に分離する複数の偏光分離膜、各前記偏光分離膜にて反射された一方の直線偏光光束を反射する複数の反射膜、および前記偏光分離膜と前記反射膜とを、前記光源装置から射出される光束の光軸に対して傾斜し互いに平行な状態で交互に並列配置させる複数の透光性部材を有する偏光変換素子と、
前記偏光変換素子の光束射出側に設けられ、前記２種類の直線偏光光束のうちいずれか一方の直線偏光光束の偏光方向を変換する複数の位相差板とを備え、
前記光変調装置は、前記画像光を形成する矩形状の画像形成領域を有し、
前記偏光変換装置は、前記複数の偏光分離膜および前記複数の反射膜の並列方向が前記画像形成領域の短辺方向に平行な状態で配設されている
ことを特徴とするプロジェクタ。
【請求項２】
請求項１に記載のプロジェクタにおいて、
前記複数の位相差板は、
前記複数の反射膜の光束射出側にそれぞれ設けられ、前記反射膜にて反射された一方の直線偏光光束の偏光方向を変換する
ことを特徴とするプロジェクタ。
【発明の詳細な説明】
【技術分野】
【０００１】
本発明は、プロジェクタに関する。
【背景技術】
【０００２】
従来、光源装置と、光源装置から射出された光束を画像情報に応じて変調して画像光を形成する光変調装置と、画像光を拡大投射する投射光学装置とを備えたプロジェクタが知られている。そして、このようなプロジェクタでは、光利用効率を高めて明るい表示状態を実現するために、光源装置から射出された光束を略１種類の直線偏光光束に変換する偏光変換装置（偏光分離ユニットアレイ、λ／２位相差板）が多用される（例えば、特許文献１参照）。
特許文献１に記載の偏光分離ユニットアレイは、光軸に対して約４５°傾斜し入射光束を２種類の直線偏光光束に分離する偏光分離面と、偏光分離面にて分離された一方の直線偏光光束を反射する反射面とが互いに平行な状態で交互に配列された一対の偏光変換素子を備えている。また、一対の偏光変換素子は、各偏光分離面および各反射面が所定方向に並列し、互いの各偏光分離面および各反射面が略ハ字状となるように互いに向い合う状態で貼り合わせられている。そして、偏光変換装置は、各偏光分離面および各反射面の並列方向が水平方向（横方向）となるようにプロジェクタ内部に配設されている。
【０００３】
【特許文献１】特開２００４−１９８９３２号公報（図１）
【発明の開示】
【発明が解決しようとする課題】
【０００４】
しかしながら、特許文献１に記載の技術では、偏光変換装置を製造する際に、一対の偏光変換素子を貼り合わせる作業が必要となり、製造コストを低減することが難しい、という問題がある。
また、特許文献１に記載の技術では、一対の偏光変換素子が上述したように貼り合わせられ、偏光変換装置が上述したようにプロジェクタ内部に配設されているので、横方向外側に配設された各偏光分離面で反射された一方の直線偏光光束は、横方向外側に進行することとなる。このため、偏光変換装置に入射する光の入射領域よりも横方向外側に反射面をそれぞれ設ける必要があり、偏光変換装置が横方向に比較的に大きい形状となり、プロジェクタの水平方向における小型化を阻害する、という問題がある。
【０００５】
本発明の目的は、低コスト化および小型化が図れるプロジェクタを提供することにある。
【課題を解決するための手段】
【０００６】
本発明のプロジェクタは、光源装置と、前記光源装置から射出された光束を略１種類の直線偏光光束に変換する偏光変換装置と、前記偏光変換装置から射出された直線偏光光束を画像情報に応じて変調して画像光を形成する光変調装置と、前記画像光を拡大投射する投射光学装置とを備えたプロジェクタであって、前記偏光変換装置は、入射光束を透過および反射して２種類の直線偏光光束に分離する複数の偏光分離膜、各前記偏光分離膜にて反射された一方の直線偏光光束を反射する複数の反射膜、および前記偏光分離膜と前記反射膜とを、前記光源装置から射出される光束の光軸に対して傾斜し互いに平行な状態で交互に並列配置させる複数の透光性部材を有する偏光変換素子と、前記偏光変換素子の光束射出側に設けられ、前記２種類の直線偏光光束のうちいずれか一方の直線偏光光束の偏光方向を変換する複数の位相差板とを備え、前記光変調装置は、前記画像光を形成する矩形状の画像形成領域を有し、前記偏光変換装置は、前記複数の偏光分離膜および前記複数の反射膜の並列方向が前記画像形成領域の短辺方向に平行な状態で配設されていることを特徴とする。
【０００７】
本発明では、偏光変換装置において、偏光変換素子は、複数の透光性部材により、各偏光分離膜および各反射膜が光源装置から射出される光束の光軸に対して傾斜し互いに平行な状態で交互に並列配置されている。このことにより、偏光変換装置は、従来の構成とは異なり、偏光変換素子が１つのみで構成されているので、製造時において、一対の偏光変換素子を貼り合わせる作業を省略して偏光変換装置の製造コストを低減でき、ひいては、プロジェクタの製造コストを低減できる。
また、偏光変換装置は、複数の偏光分離膜および複数の反射膜の並列方向が光変調装置の画像形成領域の短辺方向に平行な状態で配設されている。一般的に、光変調装置は、画像形成領域の短辺方向が鉛直方向に平行な状態で配設されている。すなわち、偏光変換装置は、前記並列方向が鉛直方向に平行な状態で配設されている。このことにより、複数の偏光分離膜で反射された一方の直線偏光光束は、上方向若しくは下方向に進行することとなる。このため、従来の構成のように横方向外側に反射膜を設ける必要がなく、偏光変換装置の横方向の長さ寸法を偏光変換装置に入射する光の入射領域の横方向の長さ寸法と略同一に設定できる。したがって、従来の構成と比較して偏光変換装置の横方向の長さ寸法を小さくできるので、プロジェクタの水平方向における小型化が図れる。
【０００８】
本発明のプロジェクタでは、前記複数の位相差板は、前記複数の反射膜の光束射出側にそれぞれ設けられ、前記反射膜にて反射された一方の直線偏光光束の偏光方向を変換することが好ましい。
本発明では、複数の偏光分離膜は、入射面に平行な偏光方向を有する直線偏光光束（Ｓ偏光光）を反射し、Ｓ偏光光の偏光方向に直交する偏光方向を有する直線偏光光束（Ｐ偏光光）を透過する。そして、複数の位相差板は、反射膜にて反射されたＳ偏光の偏光方向を変換して、Ｐ偏光光として射出する。すなわち、複数の位相差板を上述した位置に配設することで、偏光変換装置から射出される直線偏光光束をＰ偏光光に揃えることができる。
ここで、複数の偏光分離膜および複数の反射膜の並列方向が鉛直方向に平行な状態で配設されているため、偏光変換装置から射出される直線偏光光束（上述したＰ偏光光）は、鉛直方向に平行な偏光方向を有する直線偏光光束となる。このため、偏光変換装置から射出された直線偏光光束は、偏光変換装置の後段に配設される反射ミラーに対してＳ偏光光として入射することとなる。したがって、偏光変換装置の後段に配設される反射ミラーでの光の吸収量が低減し、光利用効率を向上できる。
【発明を実施するための最良の形態】
【０００９】
以下、本発明の実施の一形態を図面に基づいて説明する。
〔プロジェクタの構成〕
図１は、プロジェクタ１の概略構成を模式的に示す図である。なお、図１では、説明の便宜上、プロジェクタ１の前後方向（投射方向）をＸ軸とし、厚み方向（鉛直方向）をＹ軸とする。以下の図面も同様である。
プロジェクタ１は、光源から射出される光束を画像情報に応じて変調してカラー画像（画像光）を形成し、このカラー画像をスクリーン（図示略）上に拡大投射する。このプロジェクタ１は、図１に示すように、略直方体状の外装筐体２と、投射光学装置としての投射レンズ３と、光学ユニット４等を備える。
なお、図１において、具体的な図示は省略したが、外装筐体２内において、投射レンズ３および光学ユニット４以外の空間には、プロジェクタ１内部の各構成部材を冷却する冷却ファン等を備えた冷却ユニット、プロジェクタ１内部の各構成部材に電力を供給する電源ユニット、およびプロジェクタ１内部の各構成部材を制御する制御装置等が配置されるものとする。
【００１０】
外装筐体２は、プロジェクタ１の天面、前面、背面、および側面をそれぞれ構成するアッパーケース、およびプロジェクタ１の底面、前面、背面、および側面をそれぞれ構成するロアーケース等で構成される。そして、各ケースは、互いにねじ等で固定されている。
投射レンズ３は、複数のレンズを組み合わせた組レンズとして構成され、光学ユニット４にて形成されたカラー画像をスクリーン上に拡大投射する。
【００１１】
光学ユニット４は、前記制御装置による制御の下、光源から射出された光束を光学的に処理して画像信号に対応したカラー画像を形成するユニットである。この光学ユニット４は、図１に示すように、光源装置４１と、照明光学装置４２と、色分離光学装置４３と、リレー光学装置４４と、光学装置４５と、これら各光学部品４１〜４５を内部に設定された照明光軸Ａに対する所定位置に配置する光学部品用筐体４６とを備える。
光源装置４１は、図１に示すように、光源ランプ４１１およびリフレクタ４１２等を備える。そして、光源装置４１は、光源ランプ４１１から射出された光束がリフレクタ４１２によって射出方向が揃えられ、照明光学装置４２に向けて光束を射出される。
【００１２】
照明光学装置４２は、図１に示すように、第１レンズアレイ４２１、第２レンズアレイ４２２、偏光変換装置５、および重畳レンズ４２４を備える。
第１レンズアレイ４２１は、光軸方向から見て略矩形状の輪郭を有する小レンズがマトリクス状に配列された構成を有している。各小レンズ４２１Ａは、光源装置４１から射出された光束を、複数の部分光束に分割する。
第２レンズアレイ４２２は、第１レンズアレイ４２１と略同様な構成を有しており、小レンズ４２２Ａがマトリクス状に配列された構成を有している。
なお、本実施形態では、説明を簡略化するために、第１レンズアレイ４２１および第２レンズアレイ４２２の各小レンズ４２１Ａ，４２２Ａは、鉛直方向（縦方向、図１の紙面に直交する方向）に５つ、水平方向（横方向、図１の紙面に平行な方向）に４つ並んだ、５×４のマトリクス状に配列されているものとする。また、各小レンズ４２１Ａ，４２２Ａは、光学装置４５の後述する液晶パネルの画像形成領域のアスペクト比（本実施形態では、４（横）：３（縦）のアスペクト比）と略同一のアスペクト比を有する輪郭形状を有しているものとする。
【００１３】
偏光変換装置５は、第２レンズアレイ４２２と重畳レンズ４２４との間に配置されている。この偏光変換装置５は、第２レンズアレイ４２２からの光を略１種類の直線偏光光束に変換するものである。
なお、偏光変換装置５の詳細な構成については、後述する。
そして、光源装置４１から射出された光束は、第１レンズアレイ４２１によって複数の部分光束に分割され、第２レンズアレイ４２２の近傍で結像する。第２レンズアレイ４２２から射出された各部分光束は、その中心軸（主光線）が偏光変換装置５の入射面に垂直となるように入射し、偏光変換装置５にて略１種類の直線偏光光束として射出される。偏光変換装置５から直線偏光光束として射出され、重畳レンズ４２４を介した複数の部分光束は、光学装置４５の後述する３枚の液晶パネル上で重畳する。
【００１４】
色分離光学装置４３は、図１に示すように、２枚のダイクロイックミラー４３１，４３２、および反射ミラー４３３を備え、これらのダイクロイックミラー４３１，４３２、反射ミラー４３３により照明光学装置４２から射出された複数の部分光束を赤、緑、青の３色の色光に分離する機能を有する。
リレー光学装置４４は、図１に示すように、入射側レンズ４４１、リレーレンズ４４３、および反射ミラー４４２，４４４を備え、色分離光学装置４３で分離された色光、例えば、赤色光を光学装置４５の後述する赤色光側の液晶パネルまで導く機能を有する。
【００１５】
光学装置４５は、入射した光束を画像情報に応じて変調して画像光（カラー画像）を形成するものである。この光学装置４５は、図１に示すように、光変調装置としての３つの液晶パネル４５１（赤色光側の液晶パネルを４５１Ｒ、緑色光側の液晶パネルを４５１Ｇ、青色光側の液晶パネルを４５１Ｂとする）と、各液晶パネル４５１の光路前段側に配置される入射側偏光板４５２と、各液晶パネル４５１の光路後段側に配置される射出側偏光板４５３と、色合成光学装置としてのクロスダイクロイックプリズム４５４とを備える。
【００１６】
３つの入射側偏光板４５２は、色分離光学装置４３で分離された各光束のうち、偏光変換装置５で揃えられた偏光方向と略同一の偏光方向を有する直線偏光光束のみ透過させ、その他の光束を吸収するものであり、透光性基板上に偏光膜が貼付されて構成されている。
３つの液晶パネル４５１は、一対の透明なガラス基板に電気光学物質である液晶が密閉封入された構成を有し、前記制御装置からの駆動信号に応じて、画像形成領域内において、前記液晶の配向状態が制御され、入射側偏光板４５２から射出された偏光光束の偏光方向を変調する。
本実施形態では、液晶パネル４５１は、上述したように画像形成領域が矩形形状（アスペクト比が４（横）：３（縦））を有し、短辺方向が鉛直方向（図１中、紙面に直交する方向）となる状態で光学部品用筐体４６内部に配設されている。
【００１７】
３つの射出側偏光板４５３は、入射側偏光板４５２と略同様の機能を有し、液晶パネル４５１を介して射出された光束のうち、一定方向の直線偏光光束を透過し、その他の光束を吸収する。
【００１８】
クロスダイクロイックプリズム４５４は、射出側偏光板４５３から射出された色光毎に変調された各色光を合成してカラー画像を形成する。このクロスダイクロイックプリズム４５４は、４つの直角プリズムを貼り合わせた平面視略正方形状をなし、直角プリズム同士を貼り合わせた界面には、２つの誘電体多層膜が形成されている。これら誘電体多層膜は、液晶パネル４５１Ｇから射出され射出側偏光板４５３を介した色光を透過し、液晶パネル４５１Ｒ，４５１Ｂから射出され各射出側偏光板４５３を介した各色光を反射する。このようにして、各色光が合成されてカラー画像が形成される。そして、クロスダイクロイックプリズム４５４で形成されたカラー画像は、上述した投射レンズ３によりスクリーンへ拡大投射される。
【００１９】
〔偏光変換装置の構成〕
図２は、偏光変換装置５の構造を示す斜視図である。
偏光変換装置５は、図２に示すように、偏光変換素子５１と、複数の位相差板５２とを備える。
偏光変換素子５１は、入射光束を２種類の直線偏光光束に分離して射出する。この偏光変換素子５１は、図２に示すように、複数の偏光分離膜５１１と、複数の反射膜５１２と、透光性部材としての複数の板ガラス５１３とを備える。
【００２０】
偏光分離膜５１１は、ブリュースター角が略４５°に設定された誘電体多層膜等で構成され、ランダムな偏光光束を２種類の直線偏光光束に分離するものであり、該偏光分離膜５１１の入射面に対して、平行な偏光方向を有する直線偏光光束（Ｓ偏光光）を反射し、Ｓ偏光光の偏光方向に直交する偏光方向を有する直線偏光光束（Ｐ偏光光）を透過する。
反射膜５１２は、例えば、高反射性を有するＡｌ，Ａｕ，Ａｇ，Ｃｕ，Ｃｒ等の単一金属材料、これら複数種類の金属を含む合金等で構成され、偏光分離膜５１１で反射されたＳ偏光光を反射するものである。
板ガラス５１３は、光束を透過させるものであり、白板ガラス等で構成されている。
【００２１】
そして、上述した偏光変換素子５１は、例えば、以下に示すように形成される。
すなわち、偏光分離膜５１１と反射膜５１２とが交互に配置されるように、例えば、偏光分離膜５１１と反射膜５１２とが両面に形成された複数の板ガラス５１３Ａ（図２）と、何も形成されていない複数の板ガラス５１３Ｂ（図２）とを接着剤により交互に貼り合わせる。そして、その表面と略４５°の角度でほぼ平行に切断することで、偏光変換素子５１が形成される。
以上のように形成されることにより、偏光変換素子５１において、偏光分離膜５１１および反射膜５１２は、光束入射側端面および光束射出側端面に対して略４５°に傾斜し、かつ、等しい配列ピッチで互いに平行な状態で配置されることとなる。
【００２２】
複数の位相差板５２は、偏光変換素子５１の光束射出側において、反射膜５１２の光束射出側端面への写像面に貼り付けられている。そして、位相差板５２は、反射膜５１２にて反射されたＳ偏光光の偏光方向を９０°回転させ、Ｐ偏光光として射出する。
【００２３】
そして、上述した偏光変換装置５は、各偏光分離膜５１１および各反射膜５１２の並列方向Ｐが鉛直方向（液晶パネル４５１の画像形成領域の短辺方向）に平行な状態で光学部品用筐体４６内部に配設されている。すなわち、偏光変換装置５は、上述したように配設されることで、各偏光分離膜５１１および各反射膜５１２が光源装置４１から射出される光束の光軸に対して略４５°に傾斜して配設される。
【００２４】
図３は、偏光変換装置５の基本動作を示す模式図である。具体的に、図３は、第２レンズアレイ４２２および偏光変換装置５の一部を側方から見た図である。
第２レンズアレイ４２２に入射した光束は、各小レンズ４２２Ａにより集光されて偏光変換装置５の各偏光分離膜５１１にそれぞれ入射する。ここで、第２レンズアレイ４２２から射出される光束は、ランダムな偏光方向を有する光束である。
偏光分離膜５１１に入射した光束は、Ｐ偏光光およびＳ偏光光に分離される。すなわち、Ｐ偏光光は、偏光分離膜５１１を透過し、偏光変換装置５への入射方向と略同一方向に進む。Ｓ偏光光は、偏光分離膜５１１で反射し、光路が略９０°変換され、下方側に進行する。
【００２５】
偏光分離膜５１１で反射したＳ偏光光は、反射膜５１２で反射され、再度、光路が略９０°変換され、偏光変換装置５への入射方向と略同一方向に進行する。そして、反射膜５１２で反射したＳ偏光光は、位相差板５２に入射し、偏光方向を９０°回転されることにより、Ｐ偏光光に変換され、偏光変換装置５への入射方向と略同一方向に進行する。
したがって、偏光変換装置５からは、略１種類のＰ偏光光が射出されることとなる。
なお、上述したＳ偏光光およびＰ偏光光は、偏光分離膜５１１の入射面に対して設定されるものであり、上述した偏光変換装置５から射出されるＰ偏光光は、後段に配設される各反射ミラー４３３，４４２，４４４の入射面に対してはＳ偏光光として入射されるものである。
【００２６】
偏光変換装置５は並列方向Ｐが鉛直方向となる状態で光学部品用筐体４６内部に配設され、また、上述したように偏光変換装置５を動作させるため、偏光分離膜５１１、反射膜５１２、および位相差板５２は、第２レンズアレイ４２２の鉛直方向（縦方向）の各小レンズ４２２Ａの数（５つ）と同一の数、設けられている。また、各偏光分離膜５１１（各反射膜５１２）は、各小レンズ４２２Ａの鉛直方向（縦方向）の配列ピッチと同一の配列ピッチで設けられている。
【００２７】
上述した実施形態においては、以下の効果がある。
本実施形態では、偏光変換装置５を構成する偏光変換素子５１は、複数の板ガラス５１３により、各偏光分離膜５１１および各反射膜５１２が光源装置４１から射出される光束の光軸に対して傾斜し互いに平行な状態で交互に並列配置されている。このことにより、偏光変換装置５は、従来の構成とは異なり、偏光変換素子５１が１つのみで構成されているので、製造時において、一対の偏光変換素子を貼り合わせる作業を省略して偏光変換装置５の製造コストを低減でき、ひいては、プロジェクタ１の製造コストを低減できる。
【００２８】
図４は、前記実施形態の効果を説明するための図である。具体的に、図４（Ａ）は、本実施形態における第２レンズアレイ４２２および偏光変換装置５から液晶パネル４５１に向う光束の光路（１点鎖線）を上方側から見た図である。図４（Ｂ）は、前記光路を側方から見た図である。なお、図４では、説明の便宜上、偏光変換装置５から液晶パネル４５１までに配設される各光学部品を省略している。また、図４（Ａ）では、従来の偏光変換装置５´の形状を破線で示し、該偏光変換装置５´から液晶パネル４５１に向う光束の光路を２点鎖線で示している。
本実施形態では、偏光変換装置５は、各偏光分離膜５１１および各反射膜５１２の並列方向Ｐが液晶パネル４５１の画像形成領域の短辺方向に平行な状態で配設されている。すなわち、偏光変換装置５は、並列方向Ｐが鉛直方向に平行な状態で配設されている。このことにより、各偏光分離膜５１１で反射されたＳ偏光光は、鉛直方向に進行することとなる。このため、横方向（Ｘ軸方向）外側にそれぞれ反射面が設けられた従来の偏光変換装置５´（図４（Ａ））と比較して、横方向外側に反射膜５１２を設ける必要がなく、偏光変換装置５の横方向の長さ寸法を偏光変換装置５に入射する光の入射領域の横方向の長さ寸法（第２レンズアレイ４２２の横方向の長さ寸法）と略同一に設定できる。したがって、従来の偏光変換装置５´と比較して偏光変換装置５の横方向の長さ寸法を小さくできるので、光学部品用筐体４６の水平方向（Ｘ軸方向）の拡がりを抑制し、プロジェクタ１の水平方向における小型化が図れる。
【００２９】
さらに、図４（Ａ）に示すように、従来の偏光変換装置５´と比較して、偏光変換装置５から射出された光束は、偏光変換装置５における横方向の長さ寸法が小さい分、平行性が良い状態（光線の開き角が小さい状態）で液晶パネル４５１に照射されることとなる。このため、例えば、黒画像を表示させる際に射出側偏光板４５３にて液晶パネル４５１を介した光束を良好に遮断することができ、投影画像のコントラスト向上が図れる。
【００３０】
また、本実施形態では、各偏光分離膜５１１にてＳ偏光光を下方側に反射するように構成しているため、偏光変換装置５は、図４（Ｂ）に示すように、偏光変換装置５に入射する光の入射領域（第２レンズアレイ４２２の平面形状と略同一の領域）に対して、下方側に張り出した形状となる。すなわち、本実施形態では、図４（Ｂ）に示すように、偏光変換装置５から液晶パネル４５１に向けて、上方側からよりも、下方側から入射する光成分を多く設定している。このことにより、一般的に液晶パネル４５１は下方側から入射する光束に対して投影画像のコントラストが向上する視覚特性を有しているため、上述したように設定することで、投影画像のコントラスト向上が図れる。
【００３１】
図５は、前記実施形態の効果を説明するための図である。具体的に、図５（Ａ）は、第２レンズアレイ４２２と、従来の構成である並列方向Ｐを横方向に設定した偏光変換装置５´との一部を上方側から見た図である。図５（Ｂ）は、第２レンズアレイ４２２と、本実施形態における並列方向Ｐを縦方向（Ｙ軸方向）に設定した偏光変換装置５との一部を側方から見た図である。
なお、図５では、従来の偏光変換装置５´において、本実施形態における偏光変換素子５１、偏光分離膜５１１、反射膜５１２、板ガラス５１３、および位相差板５２に対応する構成を、偏光変換素子５１´、偏光分離膜５１１´、反射膜５１２´、板ガラス５１３´、および位相差板５２´としている。
本実施形態では、並列方向Ｐを横方向ではなく、縦方向に設定することで、以下に示す効果がある。
【００３２】
従来のように並列方向Ｐを横方向に設定した場合には、偏光分離膜５１１´を反射して偏光変換装置５´から射出される反射光と偏光分離膜５１１´を透過して偏光変換装置５´から射出される透過光との間に、以下に示す光学的長さの差が生じる。
偏光変換装置５´を進行する反射光の光学的長さは、以下の式（１）で与えられる。また、偏光変換装置５´を進行する透過光の光学的長さは、以下の式（２）で与えられる。
【００３３】
[数１]
反射光の光学的長さ＝（ａ´／1.5）＋（ｃ´／1.5）＋（ｂ´／１）・・・（１）
【００３４】
[数２]
透過光の光学的長さ＝（ａ´／1.5）＋（ｂ´／1.5）・・・（２）
【００３５】
なお、上記式（１），（２）において、板ガラス５１３´および位相差板５２´の屈折率を1.5とし、空気層の屈折率を1としている。また、ａ´は、偏光変換素子５１´の厚み寸法である。ｂ´は、位相差板５２´の厚み寸法である。ｃ´は、偏光分離膜５１１´と反射膜５１２´との配列ピッチである。
上記式（１），（２）より、従来の偏光変換装置５´を進行する反射光と透過光との光学的長さの差は、（ｃ´／1.5）＋（ｂ´／3）となる。
ここで、各偏光分離膜５１１´（各反射膜５１２´）の配列ピッチは、各小レンズ４２２Ａの横方向の配列ピッチＬ´と同一である。また、各偏光分離膜５１１´（各反射膜５１２´）は、光軸に対して略４５°傾斜した状態で配置されている。このため、偏光変換素子５１´の厚み寸法ａ´と、偏光分離膜５１１´と反射膜５１２´との配列ピッチｃ´とは、同一となり、かつ、各小レンズ４２２Ａの横方向の配列ピッチＬ´の半分となる。したがって、従来の偏光変換装置５´を進行する反射光と透過光との光学的長さの差は、以下の式（３）で与えられる。
【００３６】
[数３]
光学的長さの差（従来）＝（Ｌ´＋ｂ´）／3・・・・（３）
【００３７】
一方、本実施形態のように並列方向Ｐを縦方向に設定した場合には、偏光分離膜５１１を反射して偏光変換装置５から射出される反射光と偏光分離膜５１１を透過して偏光変換装置５から射出される透過光との間に、以下に示す光学的長さの差が生じる。
偏光変換装置５を進行する反射光の光学的長さは、以下の式（４）で与えられる。また、偏光変換装置５を進行する透過光の光学的長さは、以下の式（５）で与えられる。
【００３８】
[数４]
反射光の光学的長さ＝（ａ／1.5）＋（ｃ／1.5）＋（ｂ／1.5）・・・（４）
【００３９】
[数５]
透過光の光学的長さ＝（ａ／1.5）＋(ｂ／1)・・・（５）
【００４０】
なお、上記式（４），（５）において、板ガラス５１３および位相差板５２の屈折率を1.5とし、空気層の屈折率を1としている。また、ａは、偏光変換素子５１の厚みの厚み寸法である。ｂは、位相差板５２の厚み寸法である。ｃは、偏光分離膜５１１と反射鏡５１２との配列ピッチである。
上記式（４），（５）により、本実施形態における偏光変換装置５を進行する反射光と透過光との光学的長さの差は、（ｃ／1.5）−（ｂ／3）となる。
ここで、各偏光分離膜５１１（各反射膜５１２）の配列ピッチは、各小レンズ４２２Ａの縦方向の配列ピッチＬと同一である。また、各偏光分離膜５１１´（各反射膜５１２´）は、光軸に対して略４５°傾斜した状態で配置されている。このため、偏光変換素子５１の厚み寸法ａと、偏光分離膜５１１と反射膜５１２との配列ピッチｃとは、同一となり、かつ、各小レンズ４２２Ａの縦方向の配列ピッチＬの半分となる。さらに、上述したように、各小レンズ４２２Ａはアスペクト比が４（横）：３（縦）で設定されているため、各小レンズ４２２Ａの縦方向の配列ピッチＬは、横方向の配列ピッチＬ´の３／４となる。したがって、従来の偏光変換装置５を進行する反射光と透過光との光学的長さの差は、以下の式（６）で与えられる。
【００４１】
[数６]
光学的長さの差（本実施形態）＝（0.75Ｌ´−ｂ）／3・・・（６）
【００４２】
上記式（３）と上記式（６）とを比較すると、従来の偏光変換装置５´を進行する反射光と透過光との光学的長さの差に対して、本実施形態の偏光変換装置５を進行する反射光と透過光との光学的長さの差の方が小さくなる。
一般的に、反射光と透過光との光学的長さの差が大きくなると、偏光変換装置の後段に配置されるレンズ（重畳レンズ４２４等）により反射光および透過光のいずれか一方が拡散し、該いずれか一方の光における液晶パネル４５１への照明領域が大きくなることが知られている。すなわち、反射光と透過光との光学的長さの差が大きくなると、液晶パネル４５１への照明領域が大きくなり、液晶パネル４５１での画像光の形成に利用されない領域が大きくなる。
本実施形態では、上述したように、従来の構成に比較して、反射光と透過光との光学的長さの差が小さくできるため、液晶パネル４５１での画像光の形成に利用されない領域を低減でき、光利用効率を向上できる。
【００４３】
また、並列方向Ｐを縦方向とすることで、偏光変換素子５１の厚み寸法ａ（Ｌ／２（0.75Ｌ´／２））を、並列方向Ｐを横方向とした場合での偏光変換素子５１´の厚み寸法ａ´（Ｌ´／２）よりも薄くすることができる。
【００４４】
本実施形態では、複数の位相差板５２を上述した位置に配設することで、偏光変換装置５から射出される直線偏光光束をＰ偏光光（鉛直方向に平行な偏光方向を有する直線偏光光束）に揃えることができる。そして、偏光変換装置５から射出された直線偏光光束は偏光変換装置５の後段に配設される反射ミラー４３３，４４２，４４４に対してＳ偏光光として入射するため、反射ミラー４３３，４４２，４４４での光の吸収量が低減し、光利用効率を向上できる。
【００４５】
なお、本発明は前述の実施形態に限定されるものではなく、本発明の目的を達成できる範囲での変形、改良等は本発明に含まれるものである。
前記実施形態では、第１レンズアレイ４２１および第２レンズアレイ４２２の光束分割光学素子が用いられていたが、これに限らず、入射光束の照度分布を略均一化して射出するロッドインテグレータを用いても構わない。
前記実施形態では、液晶パネル４５１における画像形成領域のアスペクト比を４（横）：３（縦）に設定していたが、これに限らず、その他のアスペクト比、例えば、１６（横）：９（縦）に設定された構成を採用しても構わない。
【００４６】
前記実施形態において、プロジェクタ１の構成は、前記実施形態で説明した構成に限らない。
例えば、光源装置４１は、放電発光型の光源装置で構成していたが、これに限らず、レーザダイオード、ＬＥＤ（Light Emitting Diode）、有機ＥＬ（Electro Luminescence）素子、シリコン発光素子等の各種固体発光素子を採用してもよい。
また、光源装置４１を１つのみ用い色分離光学装置４３にて３つの色光に分離していたが、色分離光学装置４３を省略し、３つの色光をそれぞれ射出する３つの前記固体発光素子を光源装置として構成してもよい。
さらに、プロジェクタ１は、液晶パネル４５１を３つ備える三板式のプロジェクタで構成していたが、これに限らず、液晶パネルを１つ備える単板式のプロジェクタで構成しても構わない。また、液晶パネルを２つ備えるプロジェクタや、液晶パネルを４つ以上備えるプロジェクタとして構成しても構わない。
また、光入射面と光射出面とが異なる透過型の液晶パネルを用いていたが、光入射面と光射出面とが同一となる反射型の液晶パネルを用いても構わない。
さらに、光変調装置として液晶パネルを用いていたが、マイクロミラーを用いたデバイス等、液晶以外の光変調装置を用いても構わない。
前記実施形態では、スクリーンを観察する方向から投射を行うフロントタイプのプロジェクタの例のみを挙げたが、本発明は、スクリーンを観察する方向とは反対側から投射を行うリアタイプのプロジェクタにも適用可能である。
【産業上の利用可能性】
【００４７】
本発明は、プレゼンテーションやホームシアタ等に用いられるプロジェクタに利用できる。
【図面の簡単な説明】
【００４８】
【図１】本実施形態におけるプロジェクタの概略構成を模式的に示す図。
【図２】前記実施形態における偏光変換装置の構造を示す斜視図。
【図３】前記実施形態における偏光変換装置の基本動作を示す模式図。
【図４】前記実施形態の効果を説明するための図。
【図５】前記実施形態の効果を説明するための図。
【符号の説明】
【００４９】
１・・・プロジェクタ、３・・・投射レンズ（投射光学装置）、５・・・偏光変換装置、４１・・・光源装置、５１・・・偏光変換素子、５２・・・位相差板、４５１・・・液晶パネル（光変調装置）、５１１・・・偏光分離膜、５１２・・・反射膜、５１３・・・透光性基板、Ｐ・・・並列方向。
【図１】
2009098569.tif 000003
【図２】
2009098569.tif 000004
【図３】
2009098569.tif 000005
【図４】
2009098569.tif 000006
【図５】
2009098569.tif 000007